(57)【要約】【課題】マスクの耳かけ紐を容易に装着することができ、またその装着を安定して維持することが可能なマスク保持具を提供する。【解決手段】可撓性を有する樹脂製の帯状体２の両端部に樹脂製のクリップ部材３，３が連結された構成のマスク保持具１であって、クリップ部材３は、帯状体２の端部に固定される支持部３４と、互いに交差するように噛み合わせられた一対のバネ片によるクリップ本体部３０とを備える。クリップ本体部３０は、支持部３４によって帯状体２の長さ方向に沿う方向と帯面に対して起立する方向との間で回転可能に支持され、長さ方向に沿う方向に合わせられたときに各バネ片が付勢されてそれぞれの先端部が接触し、クリップ本体部３０が閉じた状態になる。このときクリップ本体部３０の先端部の隣には、マスク１０の耳かけ紐１１を通すことが可能な隙間が生じる。【選択図】図６
0003200050.tif 000002
【実用新案登録請求の範囲】
【請求項１】
可撓性を有する樹脂製の帯状体の両端部にマスクの耳かけ紐を保持するための樹脂製のクリップ部材が連結されて成るマスク保持具であって、
前記クリップ部材は、前記帯状体の端部に固定される支持部と、互いに交差するように噛み合わせられた一対のバネ片によるクリップ本体部とを備え、
前記支持部は、前記クリップ本体部を、前記帯状体の長さ方向に沿う方向と帯状体の帯面に対して起立する方向との間で回転可能に支持すると共に、前記帯状体の長さ方向に沿う方向に合わせられたときの前記一対のバネ片を、それぞれの先端部が互いに接触する方向に付勢し、各バネ片の前記先端部の隣の部分は、前記支持部により付勢されている状態下において前記耳かけ紐を通すことが可能な隙間を隔てて対向する、マスク保持具。
【考案の詳細な説明】
【技術分野】
【０００１】
本考案は、マスクを快適に装着するために使用されるマスク保持具に関する。
【背景技術】
【０００２】
近年、花粉，ウイルス，粉塵などの有害物質が体内に入ることを防ぐ目的や衛生管理の目的から、マスクを使用する人が増えている。しかし、長時間マスクを装着すると、マスクの耳かけ紐があたる耳の裏側の付け根付近に痛みが生じることがある。また肌が弱い人においては、耳の裏にかぶれや腫れなどのトラブルが生じることもある。
【０００３】
上記の問題を解決するものとして、帯状体の両端部を折り返し、各折り返し部分をボタンにより開閉自由とした構成のマスク保持具が提案されている（たとえば特許文献１，２を参照。）。このマスク保持具を、各折り返し部分がマスクの両側の耳かけ紐に装着された状態にして後頭部の中央部に配置することによって、各耳かけ紐を耳から離れた場所へと引っ張った状態にしてマスクを保持することができる。
【考案の概要】
【考案が解決しようとする課題】
【０００４】
しかし、上記構成のマスク保持具を使用する場合には、少なくとも一方の耳かけ紐に対するボタン止めやボタンの取り外しを、頭部の後側で手探りで行う必要があり、マスクの装着や取り外しに手間がかかる。また折り返しの方向がボタンにより止めることができる方向に限定されるので、マスク保持具を表と裏とを逆向きにして頭部にあててしまうと使い勝手が悪くなる。さらに、ボタン止めが不完全であったり、ボタンの取り付け部分が傷んだりすると、使用中にボタンが外れて折り返し部分が耳かけ紐から抜けてしまうおそれがある。
【０００５】
本考案は上記の問題に着目し、耳かけ紐に容易かつ表裏の向きを考慮せずに装着することができ、またその装着を安定して維持することが可能なマスク保持具を提供することを課題とする。
【課題を解決するための手段】
【０００６】
本考案によるマスク保持具は、可撓性を有する樹脂製の帯状体の両端部にマスクの耳かけ紐を保持するための樹脂製のクリップ部材が連結されたものである。クリップ部材は、帯状体の端部に固定される支持部と、互いに交差するように噛み合わせられた一対のバネ片によるクリップ本体部とを備える。支持部は、クリップ本体部を、帯状体の長さ方向に沿う方向と帯状体の帯面に対して起立する方向との間で回転可能に支持すると共に、帯状体の長さ方向に沿う方向に合わせられたときの前記一対のバネ片を、それぞれの先端部が互いに接触する方向に付勢する。各バネ片の前記先端部の隣の部分は、支持部により付勢されている状態下において前記耳かけ紐を通すことが可能な隙間を隔てて対向する。
【０００７】
上記の構成によれば、支持部を介して帯状体に連結されているクリップ本体部を、帯状体の帯面に対して起立する方向に向けて回転させることにより、一対のバネ片の先端部を互いに離れた状態として、各先端部の間の隙間から耳かけ紐を出し入れすることができる。また、帯状体の帯面に対して起立させたクリップ本体部の各バネ片の間に耳かけ紐を挿入した後にクリップ本体部を帯状体の長さ方向に沿う方向にまで回転させると、各バネ片が付勢されてそれぞれの先端部が互いに接触した状態になり、その接触部分の隣の隙間に耳かけ紐が通された状態となる。
【０００８】
なお、上記のクリップ部材は、「フィッシュクリップ」という名称で販売されており、その一例が特許文献３に開示されている。
【考案の効果】
【０００９】
本考案によれば、帯状体の両端部に固定されたクリップ部材のクリップ本体部を、帯状体の長さ方向に沿う方向と帯面に対して起立する方向との間で回転させることによって、クリップ本体部を開閉することができ、また、開放されたクリップ本体部から耳かけ紐を自由に出し入れすることができる。よって、頭部の後側での耳かけ紐へのクリップ部材の装着や取り外しが容易になり、裏表の向きを考慮せずに装着することができ、従来のマスク保持具よりも使い勝手が大幅に向上する。
【００１０】
また、支持部による付勢によって各バネ片の先端部が互いに接触した状態となり、クリップ本体部に回転力が加えられて付勢が解除されるまで上記の接触状態が安定して維持されるので、使用中に耳かけ紐がクリップ本体部から抜け落ちるおそれがない。また、クリップ本体部の中の隙間に耳かけ紐が通されることにより、クリップ本体部が耳かけ紐に対して摺動自由となるので、マスクを装着した後に耳かけ紐とマスク保持具との位置関係を容易に調整することができる。
【先行技術文献】
【特許文献】
【００１１】
【特許文献１】実用新案登録第３１５５２４８号公報
【特許文献２】特開２０１１−４９１０号公報
【特許文献３】特開２００７−２８２８９５号公報
【図面の簡単な説明】
【００１２】
【図１】本考案の一実施例にかかるマスク保持具の各クリップ本体部が閉じている状態を示す正面図である。
【図２】上記のマスク保持具の各クリップ本体部が表側に回転して開放されたときの状態を示す正面図である。
【図３】閉じている状態のクリップ本体部を含むマスク保持具の一端部を拡大して示した上面図である。
【図４】表側に回転して開放されているクリップ本体部を含むマスク保持具の一端部を拡大して示した上面図である。
【図５】裏側に回転して開放されているクリップ本体部を含むマスク保持具の一端部を拡大して示した上面図である。
【図６】マスクの各耳かけ紐にマスク保持具が装着された状態を示す図である。
【図７】マスク保持具の使用状態の一例を示す図である。
【図８】マスク保持具の使用状態の他の例を示す図である。
【考案を実施するための形態】
【００１３】
図１および図２は、本考案の一実施例にかかるマスク保持具１の全体構成を正面から見た図であり、図３〜５は、当該マスク保持具１の一端部を拡大して上方から見た図である。なお、このマスク保持具１は、表裏の区別なく使用することができるものであるが、説明の便宜上、図１に現れている面を表側の面とする。
【００１４】
この実施例のマスク保持具１は、可撓性を有する樹脂製の帯状体２の両端部にそれぞれ樹脂製のクリップ部材３が連結されて成るものである。帯状体２は、ポリオレフィン樹脂などを原料とする透明なシート材であって、一定の幅を有し、ヒトの後頭部の幅中央部に配備可能な長さ（５〜７ｃｍ程度）に形成されている。
【００１５】
クリップ部材３は、帯状体２の端部に固定される支持部３４とこの支持部３４に回転可能に装着されたクリップ本体部３０とから成る。図１および図３は、クリップ本体部３０が閉じているときの状態を示し、図２，図４および図５は、クリップ本体部３０が開放されているときの状態を示している。
【００１６】
クリップ本体部３０は、互いに交差するように噛み合わせられた一対のバネ片３１，３２と、これらのバネ片３１，３２の基部側の端縁を連結する連結片３３とにより構成される。支持部３４は、帯状体２の端縁部を挟持する内ケース体３５と、内ケース体３５を被覆する外ケース体３６と、内ケース体３５に一体に設けられたクリップ装着部３７とにより構成される。なお、この実施例のクリップ部材３では、支持部３４および連結片３３が一定の色彩に着色される一方で各バネ片３１，３２を透明にしているが、これに限らず、クリップ部材３の全体の色彩を統一してもよい。
【００１７】
詳細な図示を省略しているが、内ケース体３５は、帯状体２の側の端面が開口されると共に前板が開閉可能であって、前板および後板の内面に複数の棘が設けられている。開口端面から内ケース体３５の内部に挿入された帯状体２の端部に各棘が突き刺さり、外ケース体３６によって内ケース体３５の前板の開放が規制されることによって、帯状体２の端部は内ケース体３４の内部に保持される。
【００１８】
クリップ装着部３７は、外ケース体３６の上下の端縁に位置合わせされた一対の支持片３８ａ，３８ｂの間に支持軸３９が設けられた構成のものである。クリップ本体部３０の各バネ片３１，３２は、一方のバネ片３１に形成されたスリット孔３１ａ（クリップ装着部３７より外側に位置づけられる。）に他方のバネ片３２が挿入されて互いに交差する。支持軸３９は、連結片３３により連結されている各バネ片３１，３２の基部の間に配備されて、これらの基部の連結体を支持片３８ａ，３８ｂの間の空間に対して出没可能に支持する。
【００１９】
各バネ片３１，３２のクリップ装着部３７より外側の部分（以下、突出部分という。）は、クリップ装着部３７の支持片３８ａ，３８ｂに上下の端面を位置合わせした半楕円形状である。各バネ片３１，３２を含むクリップ本体部３０の表裏各面が帯状体２の長さ方向に沿う状態にまで回転したときに、一方のバネ片３１の突出部分が各支持片３８ａ，３８ｂの先端に当接し、各バネ片３１，３２の基部がクリップ装着部３７に嵌め込まれた状態となって各バネ片３１，３２が付勢され、それぞれの先端部が互いに接触する（図３を参照。）。
【００２０】
図３に示すように、付勢された各バネ片３１，３２では、突出部分のうちの先端部のみが接触し、先端部以外の突出部分は隙間を隔てて対向する。この隙間は、マスク１０の耳かけ紐１１よりも十分に大きなものとなる。
【００２１】
上記の付勢状態にあるクリップ本体部３０を、表側または裏側へと押圧すると、クリップ装着部３７に対するクリップ本体部３０の嵌合が解除され、クリップ本体部３０は帯状体２の帯面にほぼ直交する位置にまで回転する。クリップ本体部３０の付勢状態も解除され、各バネ片３１，３２の先端部を含む突出部分の全体が大きく開いた状態になる（図２，４，５を参照。）。
【００２２】
なお、一方のバネ部３１の先端部の内面には凸条３１ｂが設けられ、他方のバネ部３２の先端部の内面には凸条３１ｂを受ける溝（図示せず。）が設けられており、バネ部３１，３２の付勢時に凸条３１ｂが溝に当接することによって各バネ部３１，３２の先端部の接触を安定させることができる。
【００２３】
上記の構成によれば、クリップ本体部３０を表側又は裏側に向けて回転させ、開放された各バネ片３１，３２の間にマスク１０の耳かけ紐１１を挿入した後に（図４，図５を参照。）、クリップ本体部３０を上記とは反対の方向に向けて回転させて帯状体２の長さ方向に沿わせると、クリップ本体部３０は閉じた状態となり、その中に生じた隙間に耳かけ紐１１を通すことができる（図３を参照。）。上記一連の手順を両側の耳かけ紐１１，１１に対して実行することによって、図６に示すように、マスク１０の各耳かけ紐１１，１１の間にマスク保持具１を介在させることができる。
【００２４】
このマスク保持具１を用いて使用者の顔面にマスク１０を装着するには、両端のクリップ本体部３０が開放された状態（図２を参照）として、マスク１０の一方の耳かけ紐１１をいずれかのクリップ本体部３０に挿入し、当該クリップ本体部３０を帯状体２の長さ方向に沿う方向へと回転させてクリップ本体部３０を閉じることによって、上記一方の耳かけ紐１１にマスク保持具１を装着する。つぎに、マスク１０の本体部１２を使用者の口もとにあてがい、マスク保持具１０を後頭部の側に配置する。そして、クリップ本体部３０が装着されていない側の耳かけ紐１１を開放されている方のクリップ本体部３０へと引っ張りながら当該クリップ本体部３０に挿入した後に、当該クリップ本体部３０を帯状体２の長さ方向に沿う方向へと回転させて閉じることによって、図７に示すように、各耳かけ紐１１，１１が耳から離れた状態のままマスク１０が保持される。なお、後頭部の側で耳かけ紐１１に装着する方のクリップ本体部３０を開放するための回転操作は、その装着の直前に後頭部の側で行ってもよい。
【００２５】
上記のマスク１０を取り外す場合は、いずれか一方のクリップ本体部３０を表側又は裏側に向けて回転させてそのクリップ部材３を開放し、開放されたクリップ部材３から耳かけ紐１１を取り出せばよい。このように、クリップ本体部３０の回転と、開放されたクリップ本体部３０に対する耳かけ紐１１の出し入れとによって、マスク１０の装着や取り外しを容易に行うことができる。しかも、マスク保持具１の表裏いずれの面を後頭部に当てても、クリップ本体部３０を同様の方向に回転させて開閉させることができる。
【００２６】
閉じた状態のクリップ本体部３０の突出部分には、耳かけ紐１１より十分に大きな隙間が形成され、その中に耳かけ紐１１が通されるので、耳かけ紐１１に装着された後のクリップ部材３を耳かけ紐１１に対して自由に摺動させることができる。よって、使用者はマスク１０を装着した後も、耳かけ紐１１とマスク保持具１との位置関係を容易に調整して、装用感を高めることができる。
【００２７】
この実施例のマスク保持具１によるマスク１０の保持方法は図７の例に限らず、図８に示すように、マスク保持具１を首の後にあてがうことによって、耳かけ紐１１が耳の斜め下位置に引っ張られた状態にしてマスク１０を保持してもよい。
【００２８】
上記のとおり、この実施例のマスク保持具１は、回転操作に応じて先端部が開閉する構成のクリップ本体部３０を用いることによって、各耳かけ紐１１，１１への取り付けや取り外しを容易に行える上に、表裏の向きを意識せずに使用することが可能である。よって、従前のボタン式のマスク保持具と比較して使い勝手が大幅に向上する。
【００２９】
また、帯状体２およびクリップ部材３を共に樹脂製とすることにより、マスク保持具１を軽量化することができる。また、汗や雨などの水分にも強く、汚れた場合にも、洗浄して水分を拭き取ることによって、すぐに使用することができる。
【００３０】
なお、上記の実施例では帯状体２を透明で一定幅のシート材としたが、帯状体２を着色しても良いし、帯状体２の端縁を曲線状に変化させたり、何らかの物体を模した形状にしてもよい。また帯状体２の表面に絵柄や文字を描いたり、反射率の高い染料により着色するなどの方法により、ファッション性が加味されたマスク保持具１を提供することもできる。また、このマスク保持具１の帯状体２に企業名や商品名を印刷することによって、ノベルティグッズとして提供することも可能である。帯状体２の加工や印刷は、クリップ部材３を取り付けるより前に行うことができるので、さほどの負荷をかけることなく、種々のバリエーションが施されたマスク保持具１を製作することができる。
【００３１】
また長さが異なる複数種の帯状体２を製作し、それらの中から顧客の要望に応じて選択された帯状体２とクリップ部材３との組み合わせによりマスク保持具１を提供すれば、使用者の頭や首のサイズのばらつきに対応することができ、利便性がより一層高められる。
【符号の説明】
【００３２】
１  マスク保持具
２  帯状体
３  クリップ部材
１０  マスク
１１  耳かけ紐
３０  クリップ本体部
３１，３２  バネ片
３４  支持部
３５  内ケース体
３６  外ケース体
３７  装着部
３８ａ，３８ｂ  支持片
３９  支持軸
【図１】
0003200050.tif 000003
【図２】
0003200050.tif 000004
【図３】
0003200050.tif 000005
【図４】
0003200050.tif 000006
【図５】
0003200050.tif 000007
【図６】
0003200050.tif 000008
【図７】
0003200050.tif 000009
【図８】
0003200050.tif 000010